(57)【要約】【課題】簡素な構成で水素溶解水を生成し、当該水素溶解水を利用して健康と美容の増進を図ることが可能な装置を提供する。【解決手段】洗面システム１は、電解液１２を電気分解することにより水素を発生させる水素発生装置２と、顔面を受入れ可能に構成されており、内部に水を溜めることが可能な洗面ユニット３０とを有する。さらに、洗面ユニット３０は、水素発生装置２から供給された水素と、洗面ユニット３０内に溜められた水とを羽根車５０の回転によりケーシング４１内において撹拌して混合させる混合用ターボ形ポンプ４０と、羽根車５０の回転により洗面ユニット３０内に水流を形成する水流形成用ターボ形ポンプ７０とを有している。【選択図】図１
2013233409.tif 000002
【特許請求の範囲】
【請求項１】
電解液を電気分解することにより水素を発生させる水素発生装置と、顔面を受入れ可能に構成されており、内部に水を溜めることが可能な洗面ユニットと、当該洗面ユニットに設けられ、当該水素発生装置から供給された水素と、当該洗面ユニット内に溜められた水とを、羽根車の回転によりケーシング内において混合させる混合用ターボ形ポンプと、前記洗面ユニットに設けられ、羽根車の回転により当該洗面ユニット内に水流を形成する水流形成用ターボ形ポンプとを備える洗面システム。
【請求項２】
請求項１に記載の洗面システムにおいて、前記洗面ユニットは、前記水素発生装置が固定されたベースメントに対して着脱可能に構成されている洗面システム。
【請求項３】
請求項１又は２に記載の洗面システムにおいて、前記洗面ユニットは、顔面を受入れ可能に、鉛直上側に向かうに従って内径が大きくなるよう形成された洗面部と、当該洗面部に対して鉛直下側に設けられ、当該洗面部を支持する支持部とを有し、前記混合用ターボ形ポンプと前記水流形成用ターボ形ポンプは、当該支持部に設けられている洗面システム。
【請求項４】
請求項３に記載の洗面システムにおいて、前記混合用ターボ形ポンプは、前記支持部の底であり且つ前記洗面ユニットの底であるユニット底部に設けられており、前記混合用ターボ形ポンプの羽根車は、磁石を含むものであり、前記ベースメントには、当該磁石との間に引力及び斥力のうち少なくとも一方が作用する磁石が回転子に結合された電気モータが設けられている洗面システム。
【請求項５】
請求項４に記載の洗面システムにおいて、前記水流形成用ターボ形ポンプは、前記支持部のうち略筒状をなす壁体である筒状壁に設けられている洗面システム。
【請求項６】
請求項５に記載の洗面システムにおいて、前記水流形成用ターボ形ポンプは、吸入口が前記混合用ターボ形ポンプに対向するよう配置されている洗面システム。
【請求項７】
請求項６に記載の洗面システムにおいて、前記水流形成用ターボ形ポンプは、吐出口から吐出された水が、前記筒状壁に沿う流れを形成するよう配置されている洗面システム。
【請求項８】
電解液を電気分解することにより水素を発生させる水素発生装置と、内部に水を溜めることが可能な飲料容器と、当該飲料容器に設けられ、当該水素発生装置から供給された水素と、当該飲料容器内に溜められた水とを、羽根車の回転によりケーシング内において混合させる混合用ターボ形ポンプとを備える飲料水製造システム。
【請求項９】
請求項８に記載の飲料水製造システムにおいて、前記飲料容器は、前記水素発生装置が固定されたベースメントに対して着脱可能に構成されている飲料水製造システム。
【請求項１０】
両脚部を膝下まで収容可能な深さ及び大きさを有し、内部に湯を溜めるための上方が開放された湯槽部を有するフットバスユニットと、当該フットバスユニットに設けられ、電解液を電気分解することにより水素を発生させる水素発生装置と、当該フットバスユニットに設けられ、当該水素発生装置から供給された水素と、当該フットバスユニット内に溜められた湯とを、羽根車の回転によりケーシング内において混合させるジェット水流ポンプとを備えるフットバスシステム。
【請求項１１】
請求項１０に記載のフットバスシステムにおいて、前記フットバスユニットの底部にはスノコ部材を介して湯溜まり部が設けられ、当該湯溜まり部には電気ヒータが設けられていると共に、湯溜まり部の一端に前記ジェット水流ポンプの吹き出し口が接続されているフットバスシステム。
【請求項１２】
浴槽内の壁面に吸着部材により据え付けられる内部が密封されたジェットバスユニットと、前記ジェットバスユニット内に設けられ、電界液を電気分解することにより水素を発生させる水素発生装置と、前記ジェットバスユニット内に設けられ、当該水素発生装置から供給された水素と、前記浴槽内から吸引した湯とを、羽根車の回転によりケーシング内において混合させ、ノズルから浴槽内に吐出させるジェット水流ポンプとを備えるジェットバスシステム。
【請求項１３】
請求項１２記載のジェットバスシステムにおいて、前記ジェット水流ポンプの吸引口に空気を供給して気泡を発生させるための空気バルブを備えるジェットバスシステム。
【発明の詳細な説明】
【技術分野】
【０００１】
本発明は、水素を溶解させた水を生成してこれを利用するための技術に関する。
【背景技術】
【０００２】
水に水素を溶解させる方法として、水に溶解している窒素および酸素をガス拡散用半透膜と減圧を利用して取り除いた後、高圧の水素とガス拡散用半透膜を用いて、水素を水に溶解させる方法がある。当該方法によれば、水素を水に効率良く溶解させることが可能となるが、その実施には、複雑な装置が必要となる。
【０００３】
下記の特許文献１には、電気分解によって発生した水素を水に溶解させることにより水素溶解水を製造するガス溶解水製造装置が記載されている。この製造装置においては、水素溶解水を半導体製造工程における洗浄作業に用いるため、水の電気分解によって発生した水素と酸素のうち水素のみを抽出して純水に溶解させている。
【先行技術文献】
【特許文献】
【０００４】
【特許文献１】特開平１１−２４４６７７号公報
【発明の概要】
【発明が解決しようとする課題】
【０００５】
ところで、水素を溶解させた水（以下、水素溶解水と記す）が、人体の活性酸素を中和させる抗酸化作用があるとされており、健康用機能水として医療学会や医療機関において注目されている。このような効果のある水素溶解水を家庭において生成し、これを利用することで、人間の健康と美容の促進を図りたいという要望がある。
【０００６】
そこで、特許文献１のガス溶解水製造装置を利用することも考えられるが、当該製造装置は、水の電気分解によって発生した水素と酸素のうち、水素のみを抽出する構成であるため、装置が複雑であり、家庭用には不向きである。また、特許文献１に記載の技術のように、窒素や酸素が全く含まれていない純水に水素を溶解させることは、比較的容易であるが、家庭用の装置においては、純水を利用することは困難である。家庭用の装置においては、ミネラルウォータや水道水等、比較的入手が容易な水に水素を混合させて水素溶解水を生成する必要がある。加えて、家庭用の装置としては、水素溶解水を、比較的簡素な構成で生成することが求められている。
【０００７】
本発明は、簡素な構成で水素溶解水を生成し、当該水素溶解水を利用して健康と美容の増進を図ることが可能な装置を提供することを目的とする。
【課題を解決するための手段】
【０００８】
本発明の洗面システムは、電解液を電気分解することにより水素を発生させる水素発生装置と、顔面を受入れ可能に構成されており、内部に水を溜めることが可能な洗面ユニットと、当該洗面ユニットに設けられ、当該水素発生装置から供給された水素と、当該洗面ユニット内に溜められた水とを羽根車の回転によりケーシング内において混合させる混合用ターボ形ポンプと、前記洗面ユニットに設けられ、羽根車の回転により当該洗面ユニット内に水流を形成する水流形成用ターボ形ポンプとを備えることを要旨とする。
【０００９】
前記洗面システムにおいて、前記洗面ユニットは、前記水素発生装置が固定されたベースメントに対して着脱可能に構成されているものとすることができる。
【００１０】
上記の洗面システムにおいて、前記洗面ユニットは、顔面を受入れ可能に、鉛直上側に向かうに従って内径が大きくなるよう形成された洗面部と、当該洗面部に対して鉛直下側に設けられ、当該洗面部を支持する支持部とを有し、前記混合用ターボ形ポンプと前記水流形成用ターボ形ポンプは、当該支持部に設けられているものとすることができる。
【００１１】
前記洗面システムにおいて、前記混合用ターボ形ポンプは、前記支持部の底であり且つ前記洗面ユニットの底であるユニット底部に設けられているものとすることができ、前記混合用ターボ形ポンプの羽根車は、磁石を含むものとすることができ、前記ベースメントには、当該磁石との間に引力及び斥力のうち少なくとも一方が作用する磁石が回転子に結合された電気モータが設けられているものとすることができる。
【００１２】
前記洗面システムにおいて、前記水流形成用ターボ形ポンプは、前記支持部のうち略筒状をなす壁体である筒状壁に設けられているものとすることができる。
【００１３】
前記洗面システムにおいて、前記水流形成用ターボ形ポンプは、吸入口が混合用ターボ形ポンプに対向するよう配置されているものとすることができる。
【００１４】
上記の洗面システムにおいて、前記水流形成用ターボ形ポンプは、吐出口から吐出された水が、前記筒状壁に沿う流れを形成するよう配置されているものとすることができる。
【００１５】
また、本発明の飲料水製造システムは、電解液を電気分解することにより水素を発生させる水素発生装置と、内部に水を溜めることが可能な飲料容器と、当該飲料容器に設けられ、当該水素発生装置から供給された水素と、飲料容器内に溜められた水とを羽根車の回転によりケーシング内において混合させる混合用ターボ形ポンプとを備えることを要旨とする。
【００１６】
前記飲料水製造システムにおいて、前記飲料容器は、前記水素発生装置が固定されたベースメントに対して着脱可能に構成されているものとすることができる。
【００１７】
更に、本発明のフットバスシステムは、両脚部を膝下まで受け入れ可能に構成されており、内部に湯を溜めることが可能なフットバスユニットと、当該フットバスユニットに設けられ、電解液を電気分解することにより水素を発生させる水素発生装置と、当該フットバスユニットに設けられ、当該水素発生装置から供給された水素と、当該フットバスユニット内に溜められた湯とを、羽根車の回転によりケーシング内において混合させる混合用ターボ形ポンプとを備えることを要旨とする。
【００１８】
前記フットバスシステムにおいて、前記フットバスユニットの底部にはスノコ部材を介して湯溜まり部が設けられ、当該湯溜まり部には電気ヒータが設けられていると共に、湯溜まり部の一端に前記混合用ターボポンプの吹き出し口が接続されているものとすることができる。
【００１９】
また、本発明のジェットバスシステムは、浴槽内の壁面に吸着部材により据え付けられる内部が密封されたジェットバスユニットと、前記ジェットバスユニット内に設けられ、電界液を電気分解することにより水素を発生させる水素発生装置と、前記ジェットバスユニット内に設けられ、当該水素発生装置から供給された水素と、前記浴槽内から吸引した湯とを、羽根車の回転によりケーシング内において混合させ、ノズルから浴槽内に吐出させるジェット水流ポンプとを備えることを要旨とする。
【００２０】
前記ジェットバスシステムにおいて、前記混合用ターボ形ポンプの吸引口に空気を供給して気泡を発生させるための空気バルブを備えているものとすることができる。
【発明の効果】
【００２１】
本発明によれば、家庭において簡素な構成で水素溶解水を生成し、当該水素溶解水を利用して健康と美容の増進を図ることができる。
【図面の簡単な説明】
【００２２】
【図１】第１実施形態の洗面システムの断面図である。
【図２】第１実施形態の混合用ターボ形ポンプの周辺構造を示す断面図である。
【図３】第１実施形態の混合用ターボ形ポンプの羽根車の周辺の構造を示す断面図であり、図２の拡大断面図である。
【図４】第１実施形態の水流形成用ターボ形ポンプの全体を示す部品図である。
【図５】図４に示す水流形成用ターボ形ポンプの羽根車周辺の拡大断面図である。
【図６】第１実施形態の水流形成用ターボ形ポンプの配置と、当該水流形成用ターボ形ポンプが吐出する水の流動方向を説明する模式図である。
【図７】第２実施形態の飲料水製造システムの断面図である。
【図８】第３実施形態のフットバスシステムの平面図である。
【図９】フットバスシステムの断面図である。
【図１０】水素発生装置の一例を示す図で、（ａ）は正面図、（ｂ）は側面図である。
【図１１】ジェット水流ポンプの一例を示す図で、（ａ）は断面図、（ｂ）は吸引口側正面図である。
【図１２】第４実施形態のジェットバスシステムを示す図で、（ａ）は平面図、（ｂ）は正面図、（ｃ）は側面図、（ｄ）は背面図である。
【図１３】ジェットバスシステムの内部の構造を示す図である。
【図１４】ジェットバスシステムの壁取付け型のコントローラの一例を示す図である。
【発明を実施するための形態】
【００２３】
以下、本発明の実施の形態（以下、実施形態と記す）について、図面を参照して詳細に説明する。なお、本発明は、下記の実施形態に限定されるものではなく、その要旨を逸脱しない範囲において様々な変更が可能である。
[第１実施形態]
【００２４】
まず、本実施形態の洗面システムの構成の概略について図１を用いて説明する。図１は、本実施形態の洗面システムの断面図である。図１に示すように、洗面システム１は、電解液１２を電気分解することにより水素を発生する水素発生装置２と、水素発生装置２により発生した水素を水に溶解させて水素溶解水を生成し、顔等を洗う洗面ユニット３０とを有している。水素発生装置２は、ベースメント２０の鉛直上方に固定されて設けられている。一方、洗面ユニット３０は、ベースメント２０の上方において着脱可能に設けられている。
【００２５】
水素発生装置２は、電解液１２を電気分解する電解槽５を有している。電解槽５は、鉛直方向に軸心が延びる略筒状をなしている壁体（以下、筒状壁と記す）６と、筒状壁６の鉛直下側の縁から水平方向に延びる底７とを有している。加えて、電解槽５は、筒状壁６の鉛直上側の開口を塞ぐ蓋８を有している。蓋８は、筒状壁６に対して着脱可能に構成されており、筒状壁６と蓋８との間には、電解槽５の内部を密閉するためのシール部材９が設けられている。シール部材９には、例えば、Ｏリングが用いられる。蓋８を開けた状態で、筒状壁６の鉛直上方の開口から電解槽５内に電解液が注ぎ込まれ、筒状壁６に蓋８が取り付けられて、電解槽は、密閉される。
【００２６】
電解槽５内に充填される電解液には、例えば、蒸留水又はイオン交換水等の水に、電解質を溶かした水溶液が用いられる。電解質には、誤って人体に入っても毒性がなく、且つ取扱いが安全なカルボン酸が用いられる。本実施形態において、質量濃度５％のクエン酸の水溶液が電解液として用いられている。クエン酸ナトリウムを用いるのは、電気分解による分解や変質が少なく、低濃度でもイオン伝導度が良く、安価なためである。
【００２７】
なお、上述した本実施形態において、水素発生装置２の電解液を作るのに用いられる電解質にはクエン酸ナトリウムを用いるものとしたが、電解質は、これに限定されるものではない。電解質には、クエン酸ナトリウムのほか、クエン酸、リンゴ酸や酒石酸などを用いるものとしても良い。
【００２８】
電解槽５の底７からは、電解液を電気分解するための２つの電極１０，１１、具体的には、陽極１０と陰極１１が、所定の間隔を空けて鉛直上方に延びている。陽極１０は、ベースメント２０内の陽極端子２４に電気的に接続されている。同様に、陰極１１は、ベースメント２０内の陰極端子２５に電気的に接続されている。ベースメント２０内において、陽極端子２４と陰極端子２５は、図示しない電源に接続されており、当該電源から電力の供給を受ける。
【００２９】
なお、陽極１０及び陰極１１には、白金めっきされた一対のチタニウム電極が好適である。白金めっきされたチタニウム電極は、長時間の電気分解に耐えられるためである。なお、陽極１０および陰極１１としてはチタニウム電極に限定されることはないが、長時間の電気分解に耐えられるものとして白金メッキされたチタニウム電極が好適である。
【００３０】
電解槽５内において、陽極１０及び陰極１１の全体が浸かるように電解液が充填される。電解槽５は、陽極１０と陰極１１との間に、１２Ｖの直流電圧が印加されると、電解液が電気分解されて、陽極１０側から酸素を発生させると共に、陰極１１側から水素を発生させる。このようにして、水素発生装置２は、電解液を電気分解することにより水素を発生させる。
【００３１】
また、水素発生装置２には、当該電解槽５が直接に人の手に触れないよう、当該電解槽５を覆うハウジング１５が設けられている。ハウジング１５は、略円筒状をなしており、電解槽５の筒状壁６の周囲を覆う支持部１７と、当該支持部１７の鉛直上側に設けられ、略ドーム状をなしており、電解槽５の蓋８の周囲を覆う蓋部１８とを有している。つまり、電解槽５とハウジング１５との間には、空気の層が形成される。蓋部１８には、ハウジング１５内の空気の層と外気とを連通させる通気孔１９が形成されている。このようにハウジング１５を構成することで、電解槽５において電解液の電気分解が行われて電解槽５が熱を帯びた場合、当該熱を通気孔１９を介して外気に放散させることができ、且つ電解槽５に直接に人の手が触れることを防止することができる。
【００３２】
また、電解槽５には、洗面ユニット３０に向けて、電解槽５内の水素を導く水素導入管２２が設けられている。水素導入管２２は、電解槽５の底７から鉛直上方に延びており、且つ蓋８の近傍まで延びている。水素導入管２２は、底７を貫通してベースメント２０の内部を洗面ユニット３０に向けて延びている。水素導入管２２は、電解液の電気分解により発生した酸素及び水素を、電解槽５内において取り入れて、洗面ユニット３０に向けて導く。水素導入管２２は、後述するコネクタ６０，６５を介して水素供給管２８に接続されている（図２参照）。
【００３３】
洗面ユニット３０は、有底の略円筒状をなしている部分（以下、支持部と記す）３２と、当該支持部３２の鉛直上方に接続され、人間の顔面を受入れ可能とするため、鉛直上方に向かうに従って内径が大きくなるよう形成された部分（以下、洗面部と記す）３５とを有している。つまり、洗面部３５は、一般的な洗面器の形状をなしており、人間の顔面を受入れして当該顔面を洗うことが可能に構成されており、支持部３２は、洗面部３５に対して鉛直下側に設けられている。支持部３２と洗面部３５は、別個の部品として製作される。支持部３２の鉛直上側の縁と、洗面部３５の鉛直下側の縁は、接続されて洗面ユニット３０は構成される。なお、当該接続部分を、以下に接続部３６と記す。
【００３４】
洗面ユニット３０の支持部３２は、略円筒状をなす壁体（以下、筒状壁と記す）３３と、筒状壁３３の鉛直下側の縁から水平方向に延びている底の部分（以下、ユニット底部と記す）３４を有している。すなわち、ユニット底部３４は、支持部３２の底であり、且つ洗面ユニット３０の底である。支持部３２のうちユニット底部３４には、水素発生装置２で発生させた水素を洗面ユニット３０内の溜められた水に混合させる混合用ターボ形ポンプ４０が設けられている。一方、支持部３２のうち筒状壁３３の途中には、洗面ユニット３０内に溜められた水に水流を形成する水流形成用ターボ形ポンプ７０が設けられている。
【００３５】
なお、以下の説明において、ベースメント２０を構成する部材のうち、最も洗面ユニット３０側の部材、すなわちユニット底部３４と接する部材（壁体）を「頂壁」と記し、符号２１で示す。
【００３６】
次に、混合用ターボ形ポンプ４０の周辺構造について図２を用いて説明する。図２は、混合用ターボ形ポンプの周辺構造を示す断面図である。
【００３７】
図２に示すように、ユニット底部３４のうち筒状壁３３の円筒形状の軸心が通る部位、すなわちユニット底部３４の中央には、水素と水を混合させるための混合用ターボ形ポンプ４０が設けられている。混合用ターボ形ポンプ４０は、羽根車（impeller）５０と、当該羽根車５０を収容するケーシング４１とを有する遠心ポンプである。ケーシング４１は、ユニット底部３４に結合されて羽根車５０を収容する羽根車収容部４３と、当該羽根車収容部４３から鉛直上方に延びて設けられており、水素供給管２８が接続されて電解槽５から供給された水素を羽根車収容部４３内に導く供給管接続部４５とを有している。
【００３８】
なお、羽根車収容部４３の内部にある空間であって、羽根車５０が回転して水素と水とを撹拌して混合するための空間を、以下の説明において「撹拌室」と記し、図に符号Ｃで示す。
【００３９】
供給管接続部４５のうち最も鉛直上側には、水素供給管２８が接続されるニップル４６が形成されている。水素供給管２８は、可撓性を有するホース等で構成されており、一端が、ニップル４６に差し込まれる。水素供給管２８のもう一方の端は、コネクタ６０に接続される。
【００４０】
ユニット底部３４のうち混合用ターボ形ポンプ４０より径方向外側には、電解槽５からの水素を水素供給管２８に導くためのコネクタ（以下、底部側コネクタと記す）６０が固定されている。底部側コネクタ６０の内部には、逆止弁６３が設けられている。ユニット底部３４に取り付けられた状態において、底部側コネクタ６０のうち鉛直上側には、ニップル６１が形成されており、当該ニップル６１に水素供給管２８の端が差し込まれる。底部側コネクタ６０には、通路６２が形成されており、当該通路６２は、逆止弁６３に接続されている。逆止弁６３の詳細については、後述する。
【００４１】
一方、ベースメント２０の頂壁２１にも、電解槽５からの水素を水素供給管２８に導くためのコネクタ（以下、頂壁側コネクタと記す）６６が固定されている。頂壁側コネクタ６５の内部には、通路６６が形成されている。当該通路６６は、前述した水素導入管２２と連通しており、電解槽５より水素の供給を受けている（図１参照）。図２に示すように、洗面ユニット３０がベースメント２０に設置された状態、すなわちユニット底部３４が頂壁２１に接した状態において、頂壁側コネクタ６５と底部側コネクタ６０は、接続される。このとき、頂壁側コネクタ６５の通路６６は、逆止弁６３を挟んで底部側コネクタ６０の通路６２、及び水素供給管２８内の通路と連通可能となっている。
【００４２】
底部側コネクタ６０の逆止弁６３は、電解槽５の水素導入管２２（図１参照）から、混合用ターボ形ポンプ４０に水素を供給する水素供給管２８に向かう流れを許し、且つ逆向きの流れを止めるよう構成されている。つまり、逆止弁６３は、混合用ターボ形ポンプ４０から電解槽５に向かう流れを止めるよう構成されている。当該逆止弁６３を洗面ユニット３０のユニット底部３４に設けることにより、洗面ユニット３０をベースメント２０から外した場合に、洗面ユニット３０内に溜められた水が、混合用ターボ形ポンプ４０及び水素供給管２８を逆流して洗面ユニット３０の外に漏れ出すことを防止している。
【００４３】
このように構成された洗面ユニット３０は、その内部、すなわち支持部３２と洗面部３５に水を溜めることが可能に構成されており、且つ洗面部３５に顔面を受入れすることが可能に構成されている。洗面ユニット３０は、水素発生装置２が固定されたベースメント２０に対して着脱可能に構成されている。
【００４４】
次に、混合用ターボ形ポンプ４０の羽根車５０の周辺の構造について、図３を用いて説明する。図３は、混合用ターボ形ポンプの羽根車の周辺の構造を示す断面図であり、図２の拡大断面図である。
【００４５】
図３に示すように、混合用ターボ形ポンプ４０は、羽根５５が水と水素を撹拌して混合させる羽根車（impeller）５０と、当該羽根車５０を収容し、且つ水素供給管２８から供給された水素を、羽根車５０に向けて導くケーシング４１とを有している。ケーシング４１は、ユニット底部３４にねじ等により結合されている。ユニット底部３４の略中央、すなわちユニット底部３４のうちケーシング４１の軸心が通る部位には、鉛直方向に延びており、羽根車５０を回転可能に支持するシャフト４７が設けられており、当該シャフト４７を中心として羽根車５０は回転する。なお、混合用ターボ形ポンプ４０の羽根車５０の回転中心軸を図に一点鎖線Ｂで示す。羽根車５０の回転中心軸は、シャフト４７の軸心と一致する。
【００４６】
羽根車５０は、シャフト４７の周囲を覆うように設けられ、当該シャフトに接する部分（以下、軸部と記す）５２と、シャフト４７を中心とする略円環状をなしており、内部に磁石５４を収容する部分（以下、環状部と記す）５３とを有している。軸部５２と環状部５３は一体に結合されている。軸部５２のうち鉛直上側の端（以下、軸端と記す）５１は、ケーシング４１に設けられた軸受４８により回転可能に支持されている。これにより、羽根車５０は、鉛直方向に変位することなく、シャフト４７を中心に回転可能となっている。
【００４７】
軸受４８は、水素供給管２８から供給された水素を、撹拌室Ｃに通すことが可能に構成されている。例えば、水素供給管２８と撹拌室Ｃとを連通させる貫通孔（図示せず）を設けることも好適である。また、軸受４８を、水素を通すことが可能な多孔質部材で構成することもできる。
【００４８】
また、羽根車５０には、水と水素とを撹拌するための羽根（vane）５５が設けられている。羽根５５は、羽根車５０の環状部５３から鉛直上方に突出して設けられている。羽根車５０が回転すると、羽根５５は、洗面ユニット３０に溜められた水と、水素供給管２８から供給された水素とを、撹拌室Ｃにおいて撹拌し、水素を水に混合させる。本実施形態の羽根車５０は、シャフト４７の周方向において等間隔に４枚の羽根５５が設けられている。羽根５５の鉛直上側の縁５５ａは、シャフト４７の径方向においてスリット４４と対向するように設定されている。
【００４９】
一方、ケーシング４１の羽根車収容部４３には、ケーシング４１内の撹拌室Ｃとケーシング４１の外とを連通させるスリット４４が形成されている。スリット４４は、その長手方向が、鉛直方向に沿うように構成されている。スリット４４は、羽根車５０の羽根５５の鉛直上側の縁５５ａに対向して設けられている。なお、スリット４４は、羽根５５と同様に、シャフト４７の周方向において等間隔に４つ、設けられている。スリット４４は、羽根車５０の羽根５５に対して、回転中心軸Ｂの径方向外側の部位に、ケーシング４１の内と外とを連通させる。洗面ユニット３０内にある水は、当該スリット４４から撹拌室Ｃに流入する。撹拌室Ｃに流入した水は、羽根車５０の回転により水素が混合された後、再びスリット４４からケーシング４１の外に吐出される。
【００５０】
混合用ターボ形ポンプ４０は、羽根車５０を回転させるため、磁石５９を回転駆動する電気モータ５８を有している。電気モータ５８の回転子（図示せず）には、略円柱状をなす磁石５９が結合されている。磁石５９は、回転中心軸の周方向にＮ極とＳ極が交互に形成されている。これと同様に、羽根車５０の磁石５４にも、回転中心軸の周方向にＮ極とＳ極が交互に形成されている。電気モータ５８の磁石５９と、羽根車５０の環状部５３の磁石５４との間には、ベースメント２０の頂壁２１及び洗面ユニット３０のユニット底部３４を挟んで、互いに引き合う力（いわゆる引力）及び互いに斥け合う力（いわゆる斥力）のうち少なくとも一方が作用する。この作用により、電気モータ５８の磁石５９を回転駆動すると、これに磁石５４を含む羽根車５０が従動して回転する。このようにして、混合用ターボ形ポンプ４０は、電気モータ５８を力行制御することにより、羽根車５０を回転駆動することが可能に構成されている。
【００５１】
以上のように構成された混合用ターボ形ポンプ４０は、図１〜図４に示すように、電気モータ５８による羽根車５０の回転駆動により、電解槽５から受けた水素と、撹拌室Ｃにある水を、当該撹拌室Ｃにおいて撹拌する。このようにして、混合用ターボ形ポンプ４０は、撹拌室Ｃにおいて水と水素とを混合させて、水素溶解水を生成する。撹拌室Ｃにおいて生成された水素溶解水は、混合用ターボ形ポンプ４０のスリット４４から吐出される。スリット４４から吐出された水素溶解水は、洗面ユニット３０の支持部３２及び洗面部３５内に溜められている水に拡散していく。以上のように、洗面ユニット３０において、混合用ターボ形ポンプ４０は、水素発生装置２から供給された水素と内部（すなわち支持部３２及び洗面部３５）に溜められた水とを、羽根車５０の回転により撹拌し、内部に溜められた水に水素発生装置２から供給された水素を混合させて、水素溶解水を生成する。
【００５２】
次に、洗面ユニット３０内の支持部３２及び洗面部３５に溜められた水に水流を形成する水流形成用ターボ形ポンプ７０について、図１、図４〜図６を用いて説明する。図４は、第１実施形態の水流形成用ターボ形ポンプの全体を示す部品図である。図５は、図４に示す水流形成用ターボ形ポンプの羽根車周辺を拡大した拡大断面図である。図６は、水流形成用ターボ形ポンプの配置と、当該水流形成用ターボ形ポンプが吐出する水の流動方向を説明する模式図である。
【００５３】
図１に示すように、水流形成用ターボ形ポンプ７０は、羽根車８０と、当該羽根車８０を収容するケーシングとを有する遠心ポンプである。水流形成用ターボ形ポンプ７０は、洗面ユニット３０の支持部３２の筒状壁３３に設けられている。また、図６に示すように、水流形成用ターボ形ポンプ７０は、筒状壁３３のうち、回転中心軸（図に点Ｂで示す）の周方向の途中に設けられている。洗面システム１において、水流形成用ターボ形ポンプ７０は、混合用ターボ形ポンプ４０を間に挟んで、水素発生装置２（すなわち電解槽５）と対向するように配置されている。
【００５４】
図４に示すように、水流形成用ターボ形ポンプ７０は、羽根車（impeller）８０と、羽根車８０を回転させるための電気モータ８８と、電気モータ８８により回転駆動される磁石８９とを有している。なお、水流形成用ターボ形ポンプ７０の羽根車８０の回転中心軸を図に一点鎖線Ｄで示す。
【００５５】
また、水流形成用ターボ形ポンプ７０のケーシングは、羽根車８０を収容する壁体（以下、羽根車収容壁と記す）７３と、電気モータ８８が回転駆動する磁石８９を収容する壁体（以下、磁石収容壁と記す）７６と、羽根車収容壁７３と磁石収容壁７６との間に挟まれて設けられ、羽根車８０を収容する空間と、磁石８９を収容する空間とを仕切る壁体（以下、仕切り壁と記す）７５とを有している。また、水流形成用ターボ形ポンプ７０のケーシングは、羽根車収容壁７３から吸入側の開口７４に向けて延びる管状の部分（以下、吸入管と記す）７９が延びている。これらは一体に結合されて、ケーシング（７３，７５，７６，７９）を構成している。当該ケーシング（７３，７５，７６，７９）は、洗面ユニット３０の支持部３２の筒状壁３３に固定される（図１参照）。水流形成用ターボ形ポンプ７０の詳細な配置については、後述する。
【００５６】
図５を参照して、水流形成用ターボ形ポンプ７０の羽根車８０の周辺構造について説明する。ケーシング（７３，７５，７６，７９）の仕切り壁７５のうち、回転中心軸（図に一点鎖線Ｄで示す）が通る部位には、仕切り壁７５から鉛直下側に延びており、羽根車８０を回転可能に支持するシャフト７７が設けられている。シャフト７７を中心として羽根車８０は、回転する。すなわち、羽根車８０の回転中心軸は、シャフト７７の軸心と一致する。
【００５７】
羽根車８０は、シャフト７７の周囲を覆うように設けられ、シャフト７７の周囲を覆う部分（以下、軸部と記す）８２と、シャフト７７を中心とする略円環状をなしており、内部に磁石８４を有する部分（以下、環状部と記す）８３とを有している。軸部８２と環状部８３は、一体に結合されている。軸部８２のうち鉛直下側の端（以下、軸端と記す）８１は、吸入管７９から回転中心軸Ｄ側に突出して設けられた軸受７８により回転可能に支持されている。これにより、羽根車８０は、鉛直方向に変位することなく、シャフト７７を中心に回転可能となっている。
【００５８】
また、羽根車８０には、水流を形成するための羽根（vane）８５が設けられている。羽根８５は、羽根車８０の環状部８３から鉛直下方に突出して設けられている。本実施形態の水流形成用ターボ形ポンプ７０の羽根車８０は、混合用ターボ形ポンプ４０の羽根車５０と同様に、シャフト７７の周方向において等間隔に４枚の羽根８５が設けられている。
【００５９】
水流形成用ターボ形ポンプ７０は、羽根車８０を回転させるため、磁石８４を回転駆動する電気モータ８８を有している。電気モータ８８の回転子（図示せず）には、略円柱状をなし磁石８９が結合されている。磁石８９は、回転中心軸Ｄの周方向にＮ極とＳ極が交互に形成されている。これと同様に、羽根車８０の磁石８４にも、回転中心軸Ｄの周方向にＮ極とＳ極が交互に形成されている。電気モータ８８の磁石８９と、羽根車８０の環状部８３の磁石８４との間には、仕切り壁７５を挟んで、互いに引き合う力（いわゆる引力）及び互いに斥け合う力（いわゆる斥力）のうち少なくとも一方が作用する。この作用により、電気モータ８８の磁石８９を回転駆動すると、これに磁石８４を含む羽根車８０が従動して回転する。なお、電気モータ８８は、図４に示す端子８７から電力の供給を受ける。このように、水流形成用ターボ形ポンプ７０は、電気モータ８８を力行制御することにより、羽根車８０を回転駆動することが可能に構成されている。
【００６０】
次に、水流形成用ターボ形ポンプ７０の配置について図１及び図６を用いて説明する。図６は、水流形成用ターボ形ポンプの配置と、吐出する水の流動方向を説明する模式図である。図１及び図６に示すように、洗面ユニット３０の支持部３２に取り付けられた状態において、水流形成用ターボ形ポンプ７０は、その吸入口７２が、混合用ターボ形ポンプ４０と対向するよう配置されている。より詳細には、ケーシング４１のスリット４４と対向するように配置されている。
【００６１】
図６に示すように、水流形成用ターボ形ポンプ７０は、羽根車８０が回転すると、混合用ターボ形ポンプ４０により生成された水素が混合された水（すなわち水素溶解水）を、図に矢印Ｅで示すように、吸入口７２から吸入する。そして、吸入された水素溶解水に、羽根車８０の回転により生じる遠心力が作用して、矢印Ｇで示すように、吐出口７１から筒状壁３３に向けて吐出される。吐出された水素溶解水の流れ（以下、単に「水流」と記す）は、筒状壁３３に沿って流れる。このように、水流形成用ターボ形ポンプ７０は、その吐出口７１から吐出された水が、筒状壁３３に沿う流れ（水流）を形成するよう配置されている。筒状壁３３に沿う流れは、支持部３２から洗面部３５に達する。
【００６２】
以上のように構成された洗面システム１においては、図１に示すように、水素発生装置２が発生させた水素が、混合用ターボ形ポンプ４０に供給される。当該混合用ターボ形ポンプ４０において洗面ユニット３０内に溜められた水と、水素発生装置２から供給された水素が混合されて、水素溶解水が生成される。洗面ユニット３０に設けられた水流形成用ターボ形ポンプ（遠心ポンプ）７０は、混合用ターボ形ポンプ４０の近傍から水素溶解水を吸入し、洗面ユニット３０内に水流を形成する。水素発生装置２、混合用ターボ形ポンプ４０を継続して作動させることにより、水素が混合された水（水素溶解水）が洗面ユニット３０内に行き渡たり、洗面ユニット３０内の水素溶解水に含まれる水素の濃度を飽和するまで上昇させることができる。
【００６３】
本実施形態の洗面システム１においては、洗面ユニット３０内の水の水素濃度が十分に上昇したときに、当該水素溶解水が溜まった洗面ユニット３０を、ベースメント２０から取り外し、取り外した状態の洗面ユニット３０で顔面等を洗うことができる。なお、ベースメント２０から洗面ユニット３０を取り外した状態においても、水流形成用ターボ形ポンプ７０を作動させることで洗面部３５内の水素溶解水に水流を形成することができ、当該水流によって気持ち良く顔面を洗うことができる。水素溶解水の抗酸化作用により、洗った顔面等の健康と美容が増進される。
【００６４】
以上に説明したように本実施形態の洗面システム１は、電解液１２を電気分解することにより水素を発生させる水素発生装置２と、顔面を受入れ可能に構成されており、内部に水を溜めることが可能な洗面ユニット３０とを有する。さらに、洗面ユニット３０は、水素発生装置２から供給された水素と、当該洗面ユニット３０内に溜められた水とを羽根車５０の回転により撹拌して、洗面ユニット３０内に溜められた水に、供給された水素をケーシング４１内において混合させる混合用ターボ形ポンプ４０と、羽根車の回転により洗面ユニット３０内に水流を形成する水流形成用ターボ形ポンプ７０とを有している。混合用ターボ形ポンプ４０の羽根車５０の回転により、水素発生装置２から供給された水素を、洗面ユニット３０内に溜められた水に混合させて、水素溶解水を生成することができる。さらに、水流形成用ターボ形ポンプ７０が、洗面ユニット３０内に水流を形成することにより、水素溶解水を、洗面ユニット内に行き渡らせつつ、当該水流によって気持ち良く顔面を洗うことができる。水素溶解水の抗酸化作用により、洗った顔面等の健康と美容が増進される。家庭において洗面システム１を継続して使用することにより、お肌を艶艶（つやつや）にすることが可能となる。
【００６５】
また、本実施形態の洗面システム１において、洗面ユニット３０は、水素発生装置２が固定されたベースメント２０に対して着脱可能に構成されているものとした。洗面ユニット３０内の水（水素溶解水）の水素濃度が十分に上昇したときに、当該水素溶解水が溜まった洗面ユニット３０を、ベースメント２０から取り外した状態で顔面等を洗うことができる。洗面ユニット３０を任意の場所に移動させて、顔面を洗うことができる。
【００６６】
また、本実施形態の洗面システム１において、洗面ユニット３０は、顔面を受入れ可能に、鉛直上側に向かうに従って内径が大きくなるよう形成された洗面部３５と、洗面部３５に対して鉛直下側に設けられ、当該洗面部を支持する支持部３２とを有しており、混合用ターボ形ポンプ４０と水流形成用ターボ形ポンプ７０は、支持部３２に設けられているものとした。当該支持部３２において水素溶解水の生成と、水流の形成を行うことで、洗面部３５には、混合用ターボ形ポンプ４０及び水流形成用ターボ形ポンプ７０のいずれも配設する必要がなく、洗面部３５において顔面を洗うための空間を十分に確保することができる。
【００６７】
また、本実施形態の洗面システム１において、混合用ターボ形ポンプ４０は、支持部３２の底であり且つ洗面ユニット３０の底であるユニット底部３４に設けられており、混合用ターボ形ポンプ４０の羽根車５０は、磁石５４を含むものであり、ベースメント２０には、前記磁石５４との間に引力及び斥力のうち少なくとも一方が作用する磁石５９が回転子に結合された電気モータ５８が設けられているものとした。電気モータを力行制御して磁石５９を回転させることにより、当該磁石５９の回転に従動して、磁石５４を含む羽根車５０を回転駆動することができる。電気モータ５８を洗面ユニット３０に設ける必要がなくなるため、電気モータ５８を洗面ユニット３０に配設する場合に比べて、洗面ユニット３０を軽量化することができる。これにより、洗面ユニット３０の可搬性が向上する。
【００６８】
また、本実施形態の洗面システム１において、水流形成用ターボ形ポンプ７０は、支持部３２のうち略筒状をなす壁体である筒状壁３３に設けられているものとした。上述したように、混合用ターボ形ポンプ４０は、上述のように支持部３２の底であるユニット底部３４に設けられているため、水流形成用ターボ形ポンプ７０を筒状壁３３に設けることにより、当該支持部３２に混合用ターボ形ポンプ４０と水流形成用ターボ形ポンプ７０とを配置することができる。
【００６９】
また、本実施形態の洗面システム１において、水流形成用ターボ形ポンプ７０は、その吸入口７２が混合用ターボ形ポンプ４０に対向するよう配置されているものとした。混合用ターボ形ポンプ４０により生成された水素溶解水を、水流形成用ターボ形ポンプ７０が吸入口７２から吸入して、水流を形成して洗面ユニット３０内に良好に拡散させることができる。
【００７０】
また、本実施形態の洗面システム１において、水流形成用ターボ形ポンプ７０は、吐出口７１から吐出された水が、筒状壁３３に沿う流れを形成するよう配置されているものとした。水流形成用ターボ形ポンプ７０が、筒状壁３３に沿う水流を形成することにより、当該水流の強さを維持して、当該水流を洗面部３５に到達させることが容易になる。洗面システム１によれば、家庭において簡素な構成で水素溶解水を生成し、当該水素溶解水を利用して健康と美容の増進を図ることができる。
[第２実施形態]
【００７１】
本実施形態の飲料水製造システムの構成について図２及び図７を用いて説明する。図７は、本実施形態の飲料水製造システムの断面図である。なお、第１実施形態の洗面システムと共通の構成については、同一の符号を付して説明を省略する。
【００７２】
図７に示すように、飲料水製造システム１００は、電解液１２を電気分解することにより水素を発生する水素発生装置２と、水素発生装置２により発生した水素を水に溶解させて水素溶解水を生成すると共に、内部に水等の飲料水を溜めることが可能な飲料容器１１０とを有している。水素発生装置２は、ベースメント２０の鉛直上方に固定されて設けられている。一方、飲料容器１１０は、ベースメント２０の鉛直上方において着脱可能に設けられている。
【００７３】
飲料容器１１０は、有底の略円筒状をなしており、内部に水等の飲料を溜めることが可能に構成されている。詳細には、飲料容器１１０は、略円筒状をなす壁体（以下、筒状壁と記す）１１３と、筒状壁１１３の鉛直下側の縁から水平方向に延びている底の部分（以下、容器底部と記す）１１４とを有している。容器底部１１４のうち筒状壁１１３の円筒形状の軸心が通る部位、すなわち容器底部１１４の中央には、水素発生装置２で発生させた水素と、飲料容器１１０に溜められた水に混合させるために、上述した第１実施形態と同じ混合用ターボ形ポンプ４０が設けられている。なお、筒状壁１１３のうち鉛直上側の縁には、飲料容器１１０から、コップ等の他の容器に飲料を注ぐための注ぎ口１１２が形成されている。
【００７４】
混合用ターボ形ポンプ４０は、羽根車５０の回転により、水素発生装置２から供給された水素と、飲料容器１１０内に溜められた水とを撹拌する。これにより、混合用ターボ形ポンプ４０は、飲料容器１１０内に溜められた水に水素発生装置２から供給された水素を混合させて、水素溶解水を生成する。
【００７５】
なお、図２及び図７に示すように、飲料容器１１０には、第１実施形態（図２参照）と同様に、底部側コネクタ６０が固定されており、その内部には、逆止弁６３が設けられている。一方、ベースメント２０の頂壁２１にも、頂壁側コネクタ６５が固定されており、頂壁側コネクタ６５の内部には、通路６６が形成されている。当該通路６６は、上述した水素発生装置２の電解槽５から水素の供給を受けている（図７参照）。飲料容器１１０がベースメント２０に設置された状態において、頂壁側コネクタ６５と底部側コネクタ６０は、接続される。底部側コネクタ６０の逆止弁６３は、混合用ターボ形ポンプ４０から電解槽５に向かう流れを止めるよう構成されている。したがって、飲料容器１１０をベースメント２０から外した場合に、飲料容器１１０内に溜められた水が、混合用ターボ形ポンプ４０を逆流して飲料容器１１０の外に漏れ出すことを防止している。このようにして、飲料容器１１０は、水素発生装置２が固定されたベースメント２０から着脱可能に構成されている。
【００７６】
以上のように構成された飲料水製造システム１００においては、図７に示すように、水素発生装置２が発生させた水素が、混合用ターボ形ポンプ４０に供給される。当該混合用ターボ形ポンプ４０において飲料容器１１０内に溜められた水と、水素発生装置２から供給された水素が混合されて、水素溶解水が生成される。水素発生装置２、混合用ターボ形ポンプ４０を継続して作動させることにより、水素が混合された水（水素溶解水）が飲料容器１１０内に行き渡たり、飲料容器１１０内の飲料水に含まれる水素の濃度を飽和するまで上昇させることができる。飲料水製造システム１００において、飲料容器１１０内の水の水素濃度が十分に上昇したときに、当該水素溶解水が溜まった飲料容器１１０を、ベースメント２０から取り外し、取り外した状態の飲料容器１１０から、コップ等の他の飲料容器に水素溶解水を移すことができる。水素溶解水の抗酸化作用により、水素溶解水を飲んだ人間の健康と美容が増進される。
【００７７】
以上に説明したように本実施形態の飲料水製造システム１００は、電解液１２を電気分解することにより水素を発生させる水素発生装置２と、内部に水を溜めることが可能な飲料容器１１０とを有する。飲料容器１１０は、水素発生装置２から供給された水素と、当該洗面ユニット３０内に溜められた水とを羽根車５０の回転により撹拌して、飲料容器１１０内に溜められた水に、水素発生装置２から供給された水素をケーシング（７３，７５，７６，７９）内において混合させる混合用ターボ形ポンプ４０が設けられている。混合用ターボ形ポンプ４０の羽根車５０の回転により、水素発生装置２から供給された水素を、飲料容器１１０内に溜められた水に混合させて、水素溶解水を生成することができる。水素溶解水を飲むことにより、人間の健康と美容が増進される。
【００７８】
また、本実施形態の飲料水製造システム１００において、飲料容器１１０は、水素発生装置２が固定されたベースメント２０に対して着脱可能に構成されているものとした。飲料容器１１０内の水（水素溶解水）の水素濃度が十分に上昇したときに、当該水素溶解水が溜まった飲料容器１１０を、ベースメント２０から取り外して、コップ等の他の飲料容器に注ぐことができる。
[第３実施形態]
【００７９】
本実施形態のフットバスシステムの構成について図８〜図１１を用いて説明する。図８は、本実施形態のフットバスシステムの平面図、図９は、同フットバスの断面図である。なお、第１実施形態の洗面システムと共通の構成については、同一の符号を付して説明を省略する。
【００８０】
図８ないし図９に示すように、フットバスシステム２００は、両脚部を膝下まで収容可能な深さ及び大きさを有し、内部に湯ｗを溜めるための上方が解放された湯槽部２０１を有するフットバスユニット２０２と、フットバスユニット２０２に設けられ、電解液１２を電気分解することにより水素を発生させる水素発生装置２と、フットバスユニット２０２に設けられ、水素発生装置２から供給された水素と、フットバスユニット２０２内に溜められた湯ｗとを、羽根車５０の回転により羽根車収容部４３内において混合させる遠心ポンプからなるジェット水流ポンプ２０３とを備えている。
【００８１】
フットバスユニット２０２は、湯ｗを入れた状態での移動を容易にするために、外底部に移動用の車輪２０４を備えている。フットバスユニット２０２は、周囲に中空の空間部２０５を有し、その前方の空間部２０５に水素発生装置２が設置されている。フットバスユニット２０２の移動を容易にするために、フットバスユニット２０２の後方の空間部２０５には上方に引き出して使用する移動操作用の取っ手２０７が収納可能に設けられている。
【００８２】
フットバスユニット２０２の底部にはスノコ部材２０８を介して湯の一部を溜めておくための凹部である湯溜まり部２０９が設けられ、湯溜まり部２０９には湯ｗを所定の温度に加熱するための電気ヒータ２１０が設けられていると共に、湯溜まり部２０９の一端にはジェット水流ポンプ２０３の吹き出し口が接続されている。ジェット水流ポンプ２０３はフットバスユニット２０３の底部に横向きに取付けられている。また、湯溜まり部２０９には排水ホース２１１の一端が接続されており、フットバスユニット２０２の後面部には排水ホース２１１を立てた状態に保持する溝状の保持部２１２が設けられている。
【００８３】
図１１に示すように、ジェット水流ポンプ２０３は、遠心ポンプの羽根車５０を収容した羽根車収容部４３と、羽根車５０を磁力（引力と斥力）で回転駆動するために回転軸に磁石５９を取付けた電気モータ８８を収容したモータ収容部９０とを有している。モータ収容部９０には磁石５９を収容する磁石収容室９１を兼ねたモータ取付け台９２が設けられている。羽根車収容部４３と磁石収容室９１との間には隔壁９３が設けられ、隔壁９３には羽根車５０を回転可能に支持するシャフト４７が設けられている。羽根車５０には磁石５９によって回転される磁石５４が設けられている。
【００８４】
羽根車収容部４３の軸方向端部には吸込み口２１３が設けられ、この吸い込み口２１３には羽根車５０の軸部５２を支持する軸受４８が設けられている。また、吸い込み口２１３には水素を吸い込み口２１３内に導入するための水素導入口部２１４が設けられている。軸羽根車収容部４３の一側部には水素が混合攪拌された湯を突出するための吐出口２１５が設けられている。
【００８５】
水素発生装置２は、図１０に示すように角筒状の壁体６と底７を有する上部が開放された直方体状の電解槽５と、電解槽５の上部開口を塞ぐ蓋８とを有している。電解槽５内には電解液１２が貯留されていると共に、２枚の電極１０，１１が鉛直に立てた状態で平行に配置されている。電解槽５の底部には、電極１０，１１に接続されたリード線２１６が引き出されていると共に、電解液１２を注入及び排出を行うための接続口部２１７が設けられている。電解槽６の蓋８には、水素（酸素を含む）の供給口２１８と、所定の圧力で開放する安全弁２１９が設けられている。また、電解槽６の両側部には取付用のフランジ部２２０が設けられている。
【００８６】
水素発生装置２の水素の供給口２１８には水素供給ホース２２１の一端が接続され、水素供給ホース２２１の他端が水素導入口部２１４に接続されている。フットバスユニット２０２の湯槽部２０１の側壁には湯槽部２０１内から湯ｗを吸い出して循環させるための吸出し口２２２が設けられ、この吸出し口２２２とポンプ２０３の吸い込み口２１３とが接続ホース２２３により接続されている。なお、フットバスユニット２０２の上縁部には湯温や運転時間を設定すると共に、その設定に基づいて、水素発生装置２、ジェット水流ポンプ２０３、電気ヒータ２１０を制御するためのコントローラ２２４が設けられている。また、フットバスユニット２０２の空間部２０５には交流の商用電源から供給される電気を直流の低電圧の電気に変換する電源回路（図示せず）が設けられ、この電源回路を介して水素発生装置２、ジェット水流ポンプ２０３、ヒータ２１０等に直流の低電圧の電気が供給されるようになっている。
【００８７】
以上の構成からなるフットバスユニット２０２によれば、両脚部を膝下まで収容可能な深さ及び大きさを有し、内部に湯ｗを溜めるための上方が開放された湯槽部２０１を有しているため、体を温めて発汗作用を生じさせることができる。また、水素の働きにより、足のむくみ、かかとの荒れ、水虫等の解消に効果を発揮することができる。また、フットバスユニット２０２の底部にはスノコ部材２０８を介して湯溜まり部２０９が設けられ、当該湯溜まり部２０９には電気ヒータ２１０が設けられていると共に、湯溜まり部２０９の一端に前記ジェット水流ポンプ２０３の吹き出し口２１５が接続されているため、湯ｗを温めつつ湯槽部２０１内を強制的に循環させることができ、水流によるマッサージ効果や血行促進効果も得られる。
【００８８】
フットバスユニット２０２は、車輪２０４及び取っ手２０７を備えているため、湯ｗを入れた状態で容易に移動することができ、浴室等に移動させて湯槽部２０１内の湯ｗを容易に排水することができる。この場合、湯溜まり部２０９には排水ホース２１１が接続されているため、排水ホース２１１を立てた状態から下げるだけで容易に排水することができる。
[第４実施形態]
【００８９】
本実施形態のジェットバスシステムの構成について図１２〜図１４を用いて説明する。図１２の（ａ）は本実施形態のジェットバスシステムの平面図、（ｂ）は正面図、（ｃ）は側面図、（ｄ）は背面図、図１３はジェットシステムの内部構造を示す図、図１４は壁取付け型のコントローラを示す図である。
【００９０】
図１２ないし図１３に示すようにジェットバスシステム２３０は、浴槽２３１の内壁面２３２に吸着部材２３３により据え付けられる内部が密封されたジェットバスユニット２３４と、ジェットバスユニット２３４内に設けられ、電界液を電気分解することにより水素を発生させる水素発生装置２と、ジェットバスユニット２３４内に設けられ、水素発生装置２から供給された水素と、浴槽２３１内から吸引した湯とを、羽根車５０の回転により羽根車収容部４３内において混合させ、吐出口２１５から浴槽２３１内に吐出させるジェット水流ポンプ２０３とを備えている。
【００９１】
ジェットバスユニット２３４は、密封構造のケーシング２３６を有している。ケーシング２３６内には水素発生装置２と、ジェット水流ポンプ２０３とが上部と下部に配置されている。水素発生装置２及びジェット水流ポンプ２０３は第３実施形態で説明した水素発生装置２及びジェット水流ポンプ２０３と同じであるため、同一符号を付して説明を省略する。
【００９２】
ケーシング２３６の下部の背面部には浴槽２３１内の湯ｗを吸引する吸引口２３７が設けられ、ケーシング２３６の下部の正面部には水素を含む湯を噴出する噴出口２３８が設けられている。吸引口２３７はジェット水流ポンプ２０３の吸込口２１３に吸引用のホース２３９を介して接続されており、噴出口２３８にはジェット水流ポンプ２０３の吐出口２１５が吐出用のホース２４０を介して接続されている。
【００９３】
ケーシング２３６の背面部の上部一側にはジェット水流ポンプ２０３の吸込口２１３に空気を供給して気泡を発生させるための空気バルブ２４１が設けられ、この空気バルブ２４１と、ジェット水流ポンプ２０３の吸込口２１３の側面部に設けられた空気導入ノズル２４２とが空気供給パイプ２４３を介して接続されている。また、ケーシング２３６の背面部の上部他側には水素発生装置２及びジェット水流ポンプ２０３に低電圧の直流電気を供給するリード線２１６や電気コード２４４を引き出すための電気コード引出し部２４５が設けられている。
【００９４】
図１４は、ジェットバスシステムの壁取付け型のコントローラ２４６の一例を示している。コントローラ２４６には、電源をオンオフすると共にジェット水流ポンプ２０３の吐出水量を切り替えるパワースイッチ２４７と、水素発生装置２の電源をオンオフする選択スイッチ２４８とが設けられている。
【００９５】
以上の構成からなるジェットバスシステム２３０によれば、湯ｗに水素を含ませた水素溶解水のジェット水流を体に当てることにより、体を温めて発汗作用を生じさせることができると共に、水素の働きにより、足のむくみ、肌荒れ、水虫等の解消に効果を発揮することができ、健康と美容の増進を図ることができる。
【００９６】
なお、上述した実施形態において、混合用ターボ形ポンプ４０、水流形成用ターボ形ポンプ７０及びジェット水流ポンプ２０３には、遠心ポンプを用いるものとしたが、これに限定されるものではない。混合用ターボ形ポンプ４０、水流形成用ターボ形ポンプ７０及びジェット水流ポンプ２０３には、斜流ポンプや軸流ポンプ等の他の形態のポンプを用いることもできる。
【符号の説明】
【００９７】
１  洗面システム
２  水素発生装置
５  電解槽
１０  電極（陽極）
１１  電極（陰極）
１２  電解液
１５  ハウジング
２０  ベースメント
２１  頂壁
２２  水素導入管
２８  水素供給管
３０  洗面ユニット
３２  支持部
３３  筒状壁
３４  ユニット底部
３５  洗面部
４０  混合用ターボ形ポンプ（遠心ポンプ）
４１  ケーシング
４３  羽根車収容部
４４  スリット
５０  羽根車
５４  磁石
５５  羽根
５８  電気モータ
５９  磁石
６０  底部側コネクタ
６３  逆止弁
６５  頂壁側コネクタ
７０  水流形成用ターボ形ポンプ（遠心ポンプ）
７１  吐出口
７２  吸入口
７３  ケーシングの羽根車収容壁
７９  吸入管
８０  羽根車
８４  磁石
８５  羽根
８８  電気モータ
８９  磁石
１００  飲料水製造システム
１１０  飲料容器
１１３  筒状壁
１１４  容器底部
２００  フットバスシステム
２０１  湯槽部
２０２  フットバスユニット
２０３  ジェット水流ポンプ
２０８  スノコ部材
２０９  湯溜まり部
２１０  電気ヒータ
２３０  ジェットバスシステム
２３３  吸着部材
２３４  ジェットバスユニット
２４１  空気バルブ
【図１】
2013233409.tif 000003
【図２】
2013233409.tif 000004
【図３】
2013233409.tif 000005
【図４】
2013233409.tif 000006
【図５】
2013233409.tif 000007
【図６】
2013233409.tif 000008
【図７】
2013233409.tif 000009
【図８】
2013233409.tif 000010
【図９】
2013233409.tif 000011
【図１０】
2013233409.tif 000012
【図１１】
2013233409.tif 000013
【図１２】
2013233409.tif 000014
【図１３】
2013233409.tif 000015
【図１４】
2013233409.tif 000016